(57)【要約】【課題】基板にハウジングをがたつき無く固定することができる固定部材を備えた基板コネクタを提供する。【解決手段】  プリント基板２上に形成されたプリント配線１２に接続される端子１８，２０を収容するハウジング１４をスナップフィット端子２８を介してプリント基板２に固定するに際し、スナップフィット端子２８は、プリント基板２に形成された貫通孔２４に挿通される脚部３６を備え、この脚部３６の先端側には、貫通孔２４の挿入方向奥側の開口縁２４ａに引っ掛かって係止する係止部３８が設けられ、スナップフィット端子２８の本体部３４にはプリント基板２に当接してスナップフィット端子２８の傾きを阻止する補助支持片４０が設けられている。【選択図】図１
2008147163.tif 000002
【特許請求の範囲】
【請求項１】
基板上に形成されたプリント配線に接続される端子と、この端子を収容するハウジングと、このハウジングを前記基板に固定する固定部材とを備える基板コネクタであって、
前記固定部材は、前記基板に形成された貫通孔に挿通される脚部を備え、該脚部の先端側には、前記貫通孔に正規位置まで挿入された状態において、前記貫通孔の挿入方向奥側の開口縁に引っ掛かって係止する係止部が設けられ、
前記固定部材は、前記基板に当接して前記固定部材の傾きを阻止する補助支持部を備えていることを特徴とする基板コネクタ。
【請求項２】
前記係止部は前記脚部から張出形成され、前記補助支持部は前記係止部の張出方向とは異なる方向に突出して形成されていることを特徴とする請求項１に記載の基板コネクタ。
【請求項３】
前記固定部材は対からなる脚部を有し、前記補助支持部は前記両脚部の並ぶ方向と交差する方向に突出して形成されていることを特徴とする請求項１または２に記載の基板コネクタ。
【請求項４】
前記固定部材の前記脚部は板状の本体部の端縁から延設され、前記補助支持部は前記本体部の板厚方向に突出して形成されていることを特徴とする請求項１から３のいずれかに記載の基板コネクタ。
【請求項５】
前記固定部材は、前記ハウジングの相反対向する外側面にそれぞれ取り付けられ、前記補助支持部は該各固定部材の対からなる脚部の間に配置されていることを特徴とする請求項３または４に記載の基板コネクタ。
【請求項６】
前記固定部材は、前記ハウジングの相反対向する外側面にそれぞれ取り付けられ、前記補助支持部は該各固定部材の対からなる脚部の外側に配置されていることを特徴とする請求項３または４に記載の基板コネクタ。
【請求項７】
前記固定部材は、さらに、前記基板に当接して前記固定部材のコネクタ嵌合方向への変位を規制する突張部を備えていることを特徴とする請求項１から６のいずれかに記載の基板コネクタ。
【請求項８】
前記補助支持部は、前記基板に当接する先端部分がコネクタ嵌合方向に折曲げされていることを特徴とする請求項１から７のいずれかに記載の基板コネクタ。
【請求項９】
前記固定部材は、前記補助支持部を１対備え、該１対の補助支持部の基板に当接する先端部分は、コネクタ嵌合方向の互いに拡開する方向に折曲げされていることを特徴とする請求項１から８のいずれかに記載の基板コネクタ。
【発明の詳細な説明】
【技術分野】
【０００１】
本発明は、基板コネクタに関し、さらに詳しくは、プリント配線が形成されたプリント基板への信号の授受や電源供給のために取り付けられる基板コネクタに関するものである。
【背景技術】
【０００２】
従来、自動車等の車両などに搭載される電子・電気機器には、電子部品やＩＣ（集積回路）等が実装された多数のプリント基板が備えられており、これらのプリント基板には他の機器や他のプリント基板との信号の授受や電源供給のための電線が接続されている。そして、これらの電線とプリント基板とを中継接続するために、基板コネクタが用いられている。
【０００３】
このような基板コネクタとしては、特許文献１に記載のように、内導体端子と、内導体端子の外周を覆う外導体端子と、両端子間を絶縁状態に保持する誘電体と、これらを収容するコネクタハウジングとを備えた基板シールドコネクタなどが知られている。
【０００４】
この基板コネクタ１００は、図１６に示すように、プリント基板１０２の端縁近傍の所定の部位に組付けられる。基板コネクタ１００の下端から突出する内導体端子１０４の基板組付タブ１０４ａおよび外導体端子１０６の基板組付タブ１０６ａが、プリント基板１０２に設けられたスルーホール１０４ｂ，１０６ｂに挿入され、プリント基板１０２上の信号パターン１０８に半田などにより電気的に接続される。さらに、コネクタハウジング１１０の両側に突設される取付部１１２の取付孔１１２ａとプリント基板１０２のピン孔１１４とを合わせ、組付ピン１１６を挿通して、基板コネクタ１００はプリント基板１０２に固定される。
【０００５】
【特許文献１】特開２００５−２０９４２３号公報
【発明の開示】
【発明が解決しようとする課題】
【０００６】
しかしながら、このような基板コネクタ１００では、内導体端子１０４および外導体端子１０６の基板組付タブ１０４ａ，１０６ａを挿通するスルーホール１０４ｂ，１０６ｂを設けなければならず、また、コネクタハウジングが基板上に配置されるため、小型化の要請に応えるのが困難であった。
【０００７】
そこで、図１７に示すように、基板表面に端子と接続するための接続タブ１２４ｂ，１２６ｂを設け、接続タブ１２４ｂ，１２６ｂ近辺にコネクタハウジングを嵌め込むための切り欠きを設けたプリント基板１２２を用い、基板表面の接続タブ１２４ｂ，１２６ｂにそれぞれ接続する接続片１２４ａ，１２６ａを有する内導体端子１２４および外導体端子１２６を備え、プリント基板１２２の切り欠きに嵌め込むコネクタハウジング１２８を備えた基板コネクタ１２０が考えられる。この基板コネクタ１２０はコネクタハウジング１２８の両側に突設される取付部１３０に埋め込まれた固定部材１３２を介してプリント基板１２２に組み付けられる。
【０００８】
この固定部材１３２は、本体部１３４から延設された対からなる脚部１３６を有している。この脚部１３６の先端を互いに近づける方向に弾性変位させながらプリント基板１２２に設けられたコネクタ取付用貫通孔１３８に挿入していき、脚部１３６の先端に設けられた係止部１３６ａがプリント基板１２２の挿入方向奥側に突出すると、脚部１３６の変位が復帰してコネクタ取付用貫通孔１３８に係止部１３６ａが引っ掛かりプリント基板１２２に係止される。このようにして基板コネクタ１２０をプリント基板１２２に仮止めした後、プリント基板を裏返して、コネクタ取付用貫通孔１３８と、ここから突出した固定部材１３２の脚部１３６先端とを半田付けすることで基板コネクタ１２０をプリント基板１２２に固定する。
【０００９】
この固定部材１３２は、コネクタ取付用貫通孔１３８に挿入される際に互いに近づく方向へ弾性変位した対をなす脚部１３６が復帰しようとすることにより、脚部１３６の先端に設けられた係止部１３６ａがコネクタ取付用貫通孔１３８の裏面側の開口縁１３８ａに引っ掛かってプリント基板１２２に係止される。そのため、このような固定部材１３２を有する基板コネクタ１２０は、脚部１３６の弾性変位する方向、すなわち相手側コネクタとの嵌合方向（矢印ｘで示す方向）への固着力は強いが、それに比べて固定部材１３２の板厚方向（矢印ｙで示す方向）への固着力は弱いという傾向があった。
【００１０】
したがって、このように固定部材１３２を介してプリント基板１２２に固定された基板コネクタ１２０に相手側コネクタを介して電線を接続し、この電線を配策するために曲げたり引っ張ったりすることにより、基板コネクタ１２０に相手側コネクタとの嵌合方向ｘと異なる方向、例えば固定部材１３２の板厚方向ｙへの荷重がかかると、基板コネクタ１２０ががたついて、内導体端子１２４や外導体端子１２６とプリント配線とを接続する半田にひびが入る等して接続が不安定になるという問題があった。
【００１１】
本発明が解決しようとする課題は、コネクタハウジングに備えられる固定部材を介して基板コネクタをプリント基板に固定する際に、基板にハウジングをがたつき無く固定することができるようにした基板コネクタを提供することにある。
【課題を解決するための手段】
【００１２】
上記課題を解決するために本発明に係る基板コネクタは、基板上に形成されたプリント配線に接続される端子と、この端子を収容するハウジングと、このハウジングを前記基板に固定する固定部材とを備える基板コネクタであって、前記固定部材は、前記基板に形成された貫通孔に挿通される脚部を備え、該脚部の先端側には、前記貫通孔に正規位置まで挿入された状態において、前記貫通孔の挿入方向奥側の開口縁に引っ掛かって係止する係止部が設けられ、前記固定部材は、前記基板に当接して前記固定部材の傾きを阻止する補助支持部を備えていることを要旨とするものである。
【００１３】
この場合、前記係止部は前記脚部から張出形成され、前記補助支持部は前記係止部の張出方向とは異なる方向に突出して形成されていることが望ましい。
【００１４】
また、前記固定部材は対からなる脚部を有し、前記補助支持部は前記両脚部の並ぶ方向と交差する方向に突出して形成されていることが望ましい。
【００１５】
前記固定部材の前記脚部は板状の本体部の端縁から延設され、前記補助支持部は前記本体部の板厚方向に突出して形成されていることが望ましい。
【００１６】
前記固定部材は前記ハウジングの相反対向する外側面にそれぞれ取り付けられ、前記補助支持部は該各固定部材の対からなる脚部の間に配置されるようにすると良い。  
【００１７】
または、前記固定部材は、前記ハウジングの相反対向する外側面にそれぞれ取り付けられ、前記補助支持部が該各固定部材の対からなる脚部の外側に配置されるようにすると良い。
【００１８】
前記固定部材は、さらに、前記基板に当接して前記固定部材のコネクタ嵌合方向への変位を規制する突張部を備えていると良い。
【００１９】
この場合、前記補助支持部において前記基板に当接する先端部分がコネクタ嵌合方向に折曲げされているものを好適に示すことができる。
【００２０】
そして、前記固定部材は、このような補助支持部を１対備え、該１対の補助支持部の基板に当接する先端部分は、コネクタ嵌合方向の互いに拡開する方向に折曲げされていると良い。
【発明の効果】
【００２１】
本発明に係る基板コネクタによれば、ハウジングを基板に固定する固定部材に、基板に当接して固定部材の傾きを阻止する補助支持部が設けられているため、基板の貫通孔に固定部材の脚部が挿通されて固定されると、固定部材が傾きにくく、固定部材を介して基板に固定された基板コネクタのがたつきが抑制される。これにより、ハウジングに収容された端子と基板に形成されたプリント配線との接続部が破損する等して接続が不安定になることが防止される。
【００２２】
この場合、係止部が脚部から張出形成され、補助支持部は該係止部の張出方向とは異なる方向に突出して形成されていれば、基板コネクタ固定部材に設けられる係止部により不用意にプリント基板から抜脱することが阻止されるばかりでなく、補助支持部の突出方向にも傾くことなく支えられることになる。したがって、固定部材が安定して固定され、基板コネクタをがたつき無く基板に固定することができ、上記と同様の効果を奏する。
【００２３】
また、固定部材が対からなる脚部を有し、補助支持部材が脚部の並ぶ方向と交差する方向に突出して形成されていれば、固定部材は対からなる脚部と、これら脚部と同一直線上に並ばない位置に配置された補助支持部とにより基板に支持固定されていることになるため、固定部材が基板に対し安定して固定される。そのため、基板コネクタをがたつき無く基板に固定することができ、上記と同様の効果を奏する。
【００２４】
また、固定部材の脚部が板状の本体部の端縁から延設され、補助支持部が本体部の板厚方向に突出して形成されていれば、固定部材が傾きやすい板厚方向に補助支持部によって支持される。そのため、固定部材が基板に対して安定して固定され、この固定部材によって基板コネクタが基板にがたつき無く固定され、上記と同様の効果を奏する。
【００２５】
さらに、ハウジングの相反対向する外側面に固定部材が取り付けられ、補助支持部が各固定部材の対からなる脚部の間に配置されていれば、ハウジングは各固定部材の対からなる脚部と、各固定部材の対からなる脚部の間に配置された補助支持部とによって基板に固定される。そのため、ハウジングが基板に安定して固定される。これにより、基板コネクタに相手側コネクタとの嵌合方向と異なる方向に荷重がかかっても、端子が収容されたハウジングは基板に安定して固定され、端子と基板の配線パターンとの接続が不安定になるようなことがない。
【００２６】
また、ハウジングの相対向する側面に固定部材が取り付けられ、補助支持部が各固定部材の対からなる脚部の外側に配置されていれば、ハウジングが基板にさらに安定して固定され、上記同様の効果を奏することができる。
【００２７】
前記固定部材は、さらに、前記基板に当接して前記固定部材のコネクタ嵌合方向への変位を規制する突張部を備えていると、コネクタ嵌合方向への荷重に対して突張部が固定部材のコネクタ嵌合方向への変位を規制するので、コネクタ嵌合方向への荷重に対してより一層、基板コネクタの固着力を高めることができる。
【００２８】
この場合、前記補助支持部において前記基板に当接する先端部分がコネクタ嵌合方向に折曲げされていると、コネクタ嵌合方向への荷重がかかったときに、折曲げされた先端部分が基板に対する引っ掛かり構造となり、先端部分が基板と突っ張ることでコネクタ嵌合方向の固定強度が向上する。
【００２９】
そして、前記固定部材は、このような補助支持部を１対備え、該１対の補助支持部の基板に当接する先端部分は、コネクタ嵌合方向の互いに拡開する方向に折曲げされていると、コネクタ嵌合方向に基板コネクタを押す方向と引く方向のいずれに対しても、折曲げされた先端部分が基板に対する引っ掛かり構造となり、先端部分が基板と突っ張ることでコネクタ嵌合方向の固定強度が向上する。
【発明を実施するための最良の形態】
【００３０】
次に、本発明の実施形態について図面を参照して詳細に説明する。図１は、本発明の第一実施形態に係る基板コネクタ１の外観を現す斜視図であり、図２（ａ）はプリント基板２に基板コネクタ１を組み付けた状態の上面図、図２（ｂ）は側面図、図２（ｃ）は正面図である。図３（ａ）は、基板コネクタ１をプリント基板２に固定する固定部材（スナップフィット端子２８）の展開図であり、図３（ｂ）は側面図である。以下、基板コネクタ１の相手側コネクタと嵌合する方向を前方側とし、その反対方向を後方側として説明する。また、基板コネクタ１の脚部は、プリント基板２の表側から裏側に向けて貫通して形成された貫通孔に挿入されるものとする。そのため、プリント基板２の挿入方向手前側を基板の表側と、挿入方向奥側を基板の裏側と称することがある。
【００３１】
図１に示すように、この基板コネクタ１が取り付けられるプリント基板２は、導電性のプリント配線１２が印刷あるいはメッキ等により形成され、その表面に絶縁性の保護フィルム１２ｆが被着されて、電子部品やＩＣ（集積回路）等が実装されることで回路が形成されている。このプリント基板２の端縁の所定の部位には、基板コネクタ１のハウジング１４が嵌入されるハウジング用切り欠き１６が形成されている。このハウジング用切り欠き１６の周辺には、基板コネクタ１の内導体端子１８が接続される信号配線パターン１２ｓと、外導体端子２０が接続されるグランド配線パターン１２ｇとが形成されている。ハウジング用切り欠き１６の後方側には、内導体端子１８の基板接続片１８ａや外導体端子２０の基板接続片２０ａを接続するために保護フィルム１２ｆが部分的に取り除かれて信号配線パターン１２ｓとグランド配線パターン１２ｇが露呈した接続タブ２２ｓ，２２ｇが形成されている。さらに、このハウジング用切り欠き１６の両側には、プリント基板２の表側から裏側に向けて貫通する貫通孔２４が形成されている。
【００３２】
図１に示した基板コネクタ１は、内導体端子１８と、この内導体端子１８の外周を覆ってシールドする外導体端子２０と、この内導体端子と外導体端子との間に介設された誘電体２６とがハウジング１４に収容されている。このハウジング１４の両側面１４ａ，１４ａには、ハウジング１４をプリント基板２に固定する固定部材（スナップフィット端子２８）を保持する取付部３０が突設されている。なお、この取付部３０は、合成樹脂材料の射出成形などによりハウジング１４と一体的に形成されている。
【００３３】
図１および図２に示すように、基板コネクタ１のハウジング両側面１４ａ，１４ａに突設された取付部３０には、取付部３０の上面から下面まで貫通する圧入孔３２が形成されている。図２（ｂ）に示すように、この圧入孔３２は、取付部上面の入口側３２ａはスナップフィット端子２８の本体部３４の幅と略同じか若干狭い幅に形成されており、途中部位で幅が狭められて取付部下面の出口側３２ｂはスナップフィット端子２８の対からなる脚部３６，３６の外側面間と略同じ幅に形成されており、脚部３６，３６が丁度通り抜けられるようになっている。
【００３４】
この基板コネクタ１をプリント基板２に固定するスナップフィット端子２８は、金属の板材をプレス加工により打ち抜いて屈曲させることにより形成される。図３（ａ）に示すように、略方形の本体部３４の下辺両端からプリント基板２側に向けて弾性を有する棒状の脚部３６が延設されている。この対からなる脚部３６の先端には、脚部３６が挿入されるプリント基板２の貫通孔２４の挿入方向奥側の開口縁２４ａに引っ掛かって係止する係止部３８が張出形成されている。
【００３５】
対からなる脚部３６の間には、スナップフィット端子２８の傾きを阻止する補助支持部として、本体部３４の下端面３４ａから略方形の補助支持片４０が延設されている。この補助支持片４０は略方形の平板状に形成されており、基端側が屈曲されて、先端側がスナップフィット端子２８の板厚方向（矢印ｙで示す方向）に斜めに突出している（図３（ｂ）参照）。この補助支持片４０は、スナップフィット端子２８の脚部３６をプリント基板２の貫通孔２４に正規位置まで挿入したときにプリント基板２の表側に当接するように形成されている。
【００３６】
また、スナップフィット端子２８の本体部３４の側縁には、本体部３４下端の両側から滑らかに張出形成された圧入片４２が設けられており、この圧入片４２の上端は角張って形成されている。図２に示すように、本体部３４の下端面と、取付部３０の圧入孔３２の入り口側３２ａと出口側３２ｂとの境目である角部３２ｃ上面とが当接する位置までスナップフィット端子２８を圧入孔３２に圧入すると、圧入片４２上端部が取付部３０の圧入孔３２内壁に食い込みスナップフィット端子２８が取付部３０に固定される（図２参照）。このとき、各固定部材は、図２（ａ）および（ｃ）に示すように、補助支持片４０がハウジング側面１４ａ，１４ａから突出するよう配置される。
【００３７】
このようにしてスナップフィット端子２８が取り付けられた基板コネクタ１を、プリント基板２のハウジング用切り欠き１６に合わせて配置して、スナップフィット端子２８の脚部３６をプリント基板２の貫通孔２４に挿入する。図４は、スナップフィット端子２８が貫通孔２４に係止される過程をスナップフィット端子２８の脚部を拡大して示した図である。
【００３８】
図４（ａ）に示すように、スナップフィット端子２８の対からなる脚部３６，３６に対応して、プリント基板２にも対からなる貫通孔２４，２４が形成されている。この各貫通孔２４は、脚部３６の先端に形成された係止部３８の最も太い部分が丁度通り抜けられる程度の直径Ａを有している。そして対からなる貫通孔２４，２４の間の距離Ｂは、対からなる脚部３６，３６同士の間隔Ｃより若干狭く形成されており、貫通孔２４，２４の間の距離Ｂに貫通孔直径Ａを足した距離、すなわち２つの貫通孔の内周縁の最も離れた距離Ｄは、対からなる脚部３６，３６の係止部３８，３８の最も張出した部位での外側面間隔Ｅよりも小さく形成されている。
【００３９】
図４（ｂ）に示すように、脚部３６の先端を貫通孔２４に挿入する際には、挿入斜面３８ａが貫通孔２４の挿入方向手前側の端縁に当接され、脚部３６を挿入するに従い、挿入斜面３８ａを下側から上側へ貫通孔２４の端縁が摺動する。これに伴って、対をなす脚部３６，３６は、内側方向へ弾性変形する。
【００４０】
次いで、図４（ｃ）は、スナップフィット端子２８の脚部３６が貫通孔２４に正規位置まで挿入された状態を示している。このように、係止部３８の最も張出している部位３８ｂが貫通孔２４を通過すると、対からなるの脚部３６は、自らの弾性による復元力により弾性変形前の状態に復帰する。このとき、スナップフィット端子２８の本体部３４の下端から延設された補助支持片４０はプリント基板２の表面に当接する。
【００４１】
脚部３６が弾性変形前の状態に復帰すると、係止部３８が貫通孔２４の挿入方向奥側の開口縁２４ａに引っ掛かって係止部３８が係止される。そうすると、スナップフィット端子２８が埋設された取付部３０の下面がプリント基板２の表面に当接し、この取付部３０を介してハウジング１４がプリント基板２のハウジング用切り欠き１６に固定されて基板コネクタ１がプリント基板２に仮固定される。これにより、内導体端子１８の基板接続片１８ａや外導体端子２０の基板接続片２０ａおよびスナップフィット端子２８の脚部３６先端をプリント基板２へ半田付けしやすくなる。
【００４２】
このようにして、基板コネクタ１をプリント基板２に仮固定した後、内導体端子１８の基板接続片１８ａをプリント基板２の信号配線パターン１２ｓの接続タブ２２ｓに、外導体端子２０の基板接続片２０ａをプリント基板２のグランド配線パターン１２ｇの接続タブ２２ｇに半田付けして接続する。そして、プリント基板２を裏返し、スナップフィット端子２８の脚部３６先端の半田付けを行う。
【００４３】
図５は、このようにして基板コネクタ１をプリント基板２へ半田付けした状態の取付部３０とスナップフィット端子２８を示すものであって、図５（ａ）は図２（ａ）のＡ１−Ａ１断面図であり、図５（ｂ）は図５（ａ）のＡ２−Ａ２断面図である。スナップフィット端子２８の脚部３６先端側は、プリント基板２の貫通孔２４の挿入方向奥側の開口縁２４ａに突出しており、半田４４により固定されている。
【００４４】
図６は、プリント基板２に対して、スナップフィット端子２８が支持される部位を示す上面図である。スナップフィット端子２８の本体部３４下端から延設された補助支持片４０は、スナップフィット端子２８の板厚方向ｙに斜めに突出してプリント基板２の表面に当接している。このように、スナップフィット端子２８の補助支持片４０が脚部３６の係止部３８の張出方向とは異なる方向に突出して設けられており、また、対からなる脚部３６，３６の並ぶ方向（即ち矢印ｘで示す方向）と交差する方向に突出して形成されているため、スナップフィット端子２８はプリント基板２に対して対をなす脚部３６と補助支持片４０とで支持されていることになる。
【００４５】
したがって、基板コネクタ１のハウジング１４に矢印ｘで示す方向の荷重がかかったときは、この荷重に対してスナップフィット端子２８は対をなす脚部３６，３６の係止部３８，３８で突っ張って、スナップフィット端子２８自身がずれたり傾いたりすることがないように固定された状態を維持することができる。さらに、基板コネクタ１のハウジング１４に矢印ｙで示す方向の荷重がかかったときは、この荷重に対してスナップフィット端子２８は対をなす脚部３６，３６の係止部３８，３８と補助支持片４０とで突っ張って、スナップフィット端子２８自身が板厚方向ｙにずれたり傾いたりすることがないように固定された状態を維持することができる。
【００４６】
このようにスナップフィット端子２８自身がプリント基板２に対して矢印ｘ方向にも矢印ｙ方向にも堅固に固定されることで、このスナップフィット端子２８を保持する取付部３０を介してハウジング１４がプリント基板２に安定して固定される。これにより、基板コネクタ１に相手側コネクタとの嵌合方向ｘと異なる方向に荷重がかかっても、ハウジング１４はプリント基板２に安定して固定され、内導体端子１８の基板接続片１８ａとプリント基板２の信号配線パターン１２ｓの接続タブ２２ｓとの間、および、外導体端子２０の基板接続片２０ａとプリント基板２のグランド配線パターン１２ｇとの間の半田４４にひびなどが入って接続が不安定になるようなことがない。
【００４７】
尚、この基板コネクタ１の内導体端子１８、外導体端子２０、誘電体２およびハウジング１４などは、従来一般に用いられているものが適用できるので、以下に簡単に説明する。
【００４８】
図１および図２に示すように、内導体端子１８は、導電性板材を打ち抜き加工して形成され、前方の端部には図示しない相手側端子と嵌合して電気的に接続する嵌合部１８ｂが設けられ、後方の端部にはプリント基板２の接続用タブ２２ｓに接続される基板接続片１８ａが設けられている。この嵌合部１８ｂに相手側コネクタの内導体端子が接続されることにより、この相手側コネクタに接続された同軸ケーブルの信号導体がプリント基板２の信号配線パターン１２ｓと導通する。
【００４９】
内導体端子１８が収容される誘電体２６は、所定の誘電率を有する樹脂製の絶縁性材料で成形されており、内導体端子１８と外導体端子２０との間に組付けられて、これらの間を絶縁状態にする。この誘電体２６は、内導体端子１８の嵌合部１８ｂと基板接続片１８ａが誘電体２６から突出するように形成されている。
【００５０】
外導体端子２０は、導電性板材を型抜きした後、プレス等による折り曲げ加工によって円筒状に形成される。外導体端子２０の前方端部には図示しない相手側端子と嵌合して電気的に接続するシールド嵌合部２０ｂが設けられ、この円筒状のシールド嵌合部２０ｂの中心には内導体端子１８の嵌合部１８ｂが配置されている。このシールド嵌合部２０ｂからは誘電体２２を収容する収容部が延設されており、この後端には、下側に向けてプリント基板２の接続タブ２２ｇに接続される基板接続片２０ａ，２０ａが設けられている。この外導体端子２０に相手側コネクタの外導体端子が嵌合接続されると、この相手側コネクタに接続された同軸ケーブルのシールド導体がプリント基板２のグランド配線パターン１２ｇと導通する。
【００５１】
ハウジング１４は、絶縁性の樹脂により一体的に成形されており、内導体端子１８を誘電体２６の内部に保持しこの誘電体２６を外導体端子２０が収容してなるコネクタ端子を収容固定するようになっている。ハウジング１４の後部には、前後方向に開口する端子収容室１４ｂが貫通形成されており、後方の開口面から外導体端子２０を挿入可能となっている。ハウジング１４の前方面には相手側コネクタとの嵌合をガイドするように前面が開口されたフード部１４ｃが設けられている。
【００５２】
次に、本発明の第二実施形態に係る基板コネクタ１’について説明する。図７（ａ）はプリント基板２に基板コネクタ１’を組み付けた状態の上面図、図７（ｂ）は側面図、図７（ｃ）は正面図である。図８（ａ）は、基板コネクタ１’をプリント基板２に固定する固定部材（スナップフィット端子２８’）の展開図であり、図８（ｂ）は斜視図である。図９は、基板コネクタ１’をプリント基板２へ半田付けした状態の取付部３０とスナップフィット端子２８’を示すものであって、図９（ａ）は図７（ａ）のＢ１−Ｂ１断面図であり、図９（ｂ）は図９（ａ）のＢ２−Ｂ２断面図である。なお、この基板コネクタ１’において、第一実施形態に係る基板コネクタ１と同一の形状を有する部分には同一の符号を付し、以下の説明においては基板コネクタ１と異なる部分について主に述べる。
【００５３】
図７に示すように、基板コネクタ１’は、内導体端子１８および外導体端子２０等を収容するハウジング１４の両側面に突出して設けられた取付部３０を有しており、この取付部３０にはスナップフィット端子２８’が圧入される圧入孔３２が設けられている。
【００５４】
スナップフィット端子２８’は本体部３４の下端面から延設された一対の脚部３６，３６の間に補助支持突起４０’を有している。そして、この一対の脚部３６，３６がプリント基板２に設けられた貫通孔２４，２４に挿通され、脚部３６先端の係止部３８が貫通孔２４の裏面側の開口縁２４ａに引っかけられて、基板コネクタ１’がプリント基板２に係止される。
【００５５】
図８（ａ）（ｂ）に示すように、このスナップフィット端子２８’は、金属の板材をプレス加工により打ち抜いて屈曲させることにより形成される。図８に示すように、略方形の本体部３４の下辺両端から弾性を有する棒状の脚部３６が延設されている。この対からなる脚部３６の先端には、脚部３６が挿入されるプリント基板２の貫通孔２４の裏面側の開口縁２４ａに引っ掛かって係止する係止部３８が張出形成されている。
【００５６】
この脚部３６の間には、スナップフィット端子２８’の傾きを阻止する補助支持部として、補助支持突起４０’が設けられている。補助支持突起４０’は、両足部３６，３６の間に本体部３４の下端面３４ａから下方へ向けて延設された略方形の舌片４０’ａが屈曲されて形成される。舌片４０’ａの点線ａで示す部分を鋭角に谷折りにし、さらに点線ｂ、ｂで示す部分を鈍角に山折りに屈曲させることで、紙面奥側へ突出する補助支持突起４０’は形成される。この舌片４０’ａの下端辺は、補助支持突起４０’が屈曲形成された状態で、補助支持突起４０’の下端面が平面になるように、点線ｂの下端から点線ａの下端へ向けて斜めにカットされている。
【００５７】
このスナップフィット端子２８’を、ハウジング１４の両側面に突出して設けられた取付部３０の圧入孔３２に圧入することで、図９（ａ）に示すように、スナップフィット端子２８’を取付部３０に保持させる。このように、取付部３０に保持されたスナップフィット端子２８’の脚部３６を貫通孔２４に挿通して基板コネクタ１’をプリント基板２に仮固定する。そして、脚部３６の先端をプリント基板２裏面の貫通孔２４に半田４４により固定して基板コネクタ１’をプリント基板２に組み付ける。
【００５８】
図９（ａ）（ｂ）に示すように、スナップフィット端子２８’の脚部３６を貫通孔２４に正規位置まで挿入した状態において、補助支持突起４０’の下端面はプリント基板２の表面に当接して、スナップフィット端子２８’が傾かないように支持する。
【００５９】
このように、スナップフィット端子２８’の補助支持突起４０’が脚部３６の係止部３８の張出方向とは異なる方向に突出して設けられており、また、対からなる脚部３６，３６の並ぶ方向（即ち矢印ｘで示す方向）と交差する方向に突出して形成されているため、スナップフィット端子２８’はプリント基板２に対して対をなす脚部３６と補助支持突起４０’とで支持されていることになる。
【００６０】
したがって、基板コネクタ１’のハウジング１４に矢印ｘで示す方向の荷重がかかったときは、この荷重に対してスナップフィット端子２８’は対をなす脚部３６，３６の係止部３８，３８で突っ張って、スナップフィット端子２８’自身がずれたり傾いたりすることがないように固定された状態を維持することができる。さらに、基板コネクタ１’のハウジング１４に矢印ｙで示す方向の荷重がかかったときは、この荷重に対してスナップフィット端子２８’は対をなす脚部３６，３６の係止部３８，３８と補助支持突起４０’とで、スナップフィット端子２８自身が板厚方向ｙにずれたり傾いたりすることがないように固定された状態を維持することができる。
【００６１】
このようにスナップフィット端子２８’自身がプリント基板２に対して矢印ｘ方向にも矢印ｙ方向にも堅固に固定されることで、このスナップフィット端子２８’を保持する取付部３０を介してハウジング１４がプリント基板２に安定して固定される。これにより、基板コネクタ１’に相手側コネクタとの嵌合方向ｘと異なる方向に荷重がかかっても、ハウジング１４はプリント基板２に安定して固定され、内導体端子１８の基板接続片１８ａとプリント基板２の信号配線パターン１２ｓの接続タブ２２ｓとの間、および、外導体端子２０の基板接続片２０ａとプリント基板２のグランド配線パターン１２ｇとの間の半田４４にひびなどが入って接続が不安定になるようなことがない。
【００６２】
続いて、本発明の第三実施形態に係る基板コネクタ１’’について説明する。図１０（ａ）はプリント基板２に基板コネクタ１’’を組み付けた状態の上面図、図１０（ｂ）は側面図、図１０（ｃ）は正面図である。図１１（ａ）は、基板コネクタ１’’をプリント基板２に固定する固定部材（スナップフィット端子２８’’）の展開図であり、図１１（ｂ）は斜視図である。図１２は、基板コネクタ１’’をプリント基板２へ半田付けした状態の取付部３０’’とスナップフィット端子２８’’を示すものであって、図１２（ａ）は図１０（ａ）のＣ１−Ｃ１断面図であり、図１２（ｂ）は図１２（ａ）のＣ２−Ｃ２断面図である。なお、この基板コネクタ１’’において、第一実施形態に係る基板コネクタ１と同一の形状を有する部分には同一の符号を付し、以下の説明においては基板コネクタ１と異なる部分について主に述べる。
【００６３】
図１０に示すように、基板コネクタ１’’は、内導体端子１８および外導体端子２０等を収容するハウジング１４の両側面に突出して設けられた取付部３０’’を有しており、この取付部３０’’にはスナップフィット端子２８’’が圧入される圧入孔３２’’が設けられている。
【００６４】
図１１（ａ）（ｂ）に示すように、スナップフィット端子２８’’は、金属の板材をプレス加工により打ち抜いて屈曲させることにより形成される。スナップフィット端子２８’’は、図１１（ａ）に示すように本体部３４の下端面から延設された一対の脚部３６，３６を有しており、本体部３４の両側端からは補助支持板４０’’を支持する本体側部３４ｂが延設されている。本体側部３４ｂ下端の両側から滑らかに張出形成された圧入片４２が設けられており、この圧入片４２の上端は角張って形成されている。本体側部３４ｂの下端面からは補助支持板４０’’が下方へ向けて延設されている。脚部３６と補助支持板４０’’の間、すなわち図１１（ａ）に点線Ｃで示す部位を屈曲形成することによって、対からなる脚部３６，３６の外側に、この脚部３６の係止部３８の張出方向とは異なる方向に突出するように補助支持板４０’’，４０’’が配置される。
【００６５】
このようにして形成されたスナップフィット端子２８’’を保持する取付部３０’’の圧入孔３２’’は、ハウジング１４の側面１４ａと略平行に設けられた本体部収容孔３２’’ａと、その両端から側面１４ａと交差する方向（矢印ｙで示す方向）に突出するように形成された補助支持板収容孔３２’’ｂとが取付部の上面から下面まで貫通するように形成されている。本体部収容孔３２’’ａはスナップフィット端子２８’’の本体部３４の幅３４Ｗと略同じ長さを有しており、補助支持板収容孔３２’’ｂは、本体側部３４ｂの幅３４ｂＷと略同じか若干狭い長さに形成されている。取付部３０’’の上面からスナップフィット端子２８’’の脚部３６，３６が本体部収容孔３２’’ａに挿入される。本体側部３４ｂの側端面に設けられた圧入片４２の下端面が補助支持板収容孔３２’’ｂの開口縁に当接するのに抗してスナップフィット端子２８’’をさらに圧入孔３２’’に圧入すると、圧入片４２が補助支持板収容孔３２’’ｂの内壁面に食い込んで、スナップフィット端子２８’’が取付部３０’’に保持される。
【００６６】
このようにして、取付部３０’’に取り付けられたスナップフィット端子２８’’の脚部３６がプリント基板２に設けられた貫通孔２４，２４に挿通され、脚部３６先端の係止部３８が貫通孔２４の裏面側の開口縁２４ａに引っかけられて、基板コネクタ１’’がプリント基板２に係止される。
【００６７】
図１２（ａ）（ｂ）に示すように、スナップフィット端子２８’’の脚部３６を貫通孔２４に正規位置まで挿入した状態において、補助支持板４０’’の下端面はプリント基板２の表面に当接して、スナップフィット端子２８’’が傾かないように支持する。
【００６８】
このように、スナップフィット端子２８’’の補助支持板４０’’が脚部３６の係止部３８の張出方向とは異なる方向に突出して設けられており、また、対からなる脚部３６，３６の並ぶ方向（即ち矢印ｘで示す方向）と交差する方向に突出して形成されているため、スナップフィット端子２８’’はプリント基板２に対して対をなす脚部３６と補助支持板４０’’とで支持されていることになる。
【００６９】
したがって、基板コネクタ１’’のハウジング１４に矢印ｘで示す方向の荷重がかかったときは、この荷重に対してスナップフィット端子２８’’は対をなす脚部３６，３６の係止部３８，３８で突っ張って、スナップフィット端子２８’’自身がずれたり傾いたりすることがないように固定された状態を維持することができる。さらに、基板コネクタ１’’のハウジング１４に矢印ｙで示す方向の荷重がかかったときは、この荷重に対してスナップフィット端子２８’’は対をなす脚部３６，３６の係止部３８，３８と補助支持板４０’’，４０’’とで、スナップフィット端子２８’’自身が板厚方向ｙにずれたり傾いたりすることがないように固定された状態を維持することができる。
【００７０】
また、このように対からなる脚部３６，３６の外側に補助支持板４０’’，４０’’が配置されていれば、脚部３６，３６の間に補助支持部が設けられている場合に比べ、スナップフィット端子２８’’がプリント基板２に対してより堅固に固定される。そのため、基板コネクタ１’’がプリント基板２により安定して固定され、内導体端子１８の基板接続片１８ａとプリント基板２の信号配線パターン１２ｓの接続タブ２２ｓとの間、および、外導体端子２０の基板接続片２０ａとプリント基板２のグランド配線パターン１２ｇとの間の半田４４にひびなどが入って接続が不安定になるようなことがない。
【００７１】
続いて、本発明の第四実施形態に係る基板コネクタ１’’’について説明する。図１３（ａ）はプリント基板２に基板コネクタ１’’’を組み付けた状態の上面図、図１３（ｂ）は側面図、図１３（ｃ）は正面図である。図１４（ａ）は、基板コネクタ１’’’をプリント基板２に固定する固定部材（スナップフィット端子２８’’’）の展開図であり、図１４（ｂ）は斜視図である。図１５は、基板コネクタ１’’’をプリント基板２へ半田付けした状態の取付部３０’’’とスナップフィット端子２８’’’を示すものであって、図１５（ａ）は図１３（ａ）のＤ１−Ｄ１断面図であり、図１５（ｂ）は図１５（ａ）のＤ２−Ｄ２断面図である。なお、この基板コネクタ１’’’において、第一実施形態に係る基板コネクタ１と同一の形状を有する部分には同一の符号を付し、以下の説明においては基板コネクタ１と異なる部分について主に述べる。
【００７２】
図１３に示すように、基板コネクタ１’’’は、プリント基板２の信号配線パターン１２ｓに接続される内導体端子１８と、内導体端子１８の外周を覆って内導体端子１８をシールドしプリント基板２のグランド配線パターン１２ｇに接続される外導体端子２０と、内導体端子１８と外導体端子２０との間に配置されて両者を絶縁状態にする誘電体２６と、これらの端子を収容するハウジング１４とを備えている。
【００７３】
ハウジング１４のコネクタ嵌合方向と直交する方向（矢印ｙで示す方向）に相反対向する両側面には、ハウジング１４をプリント基板２に固定するためのスナップフィット端子２８’’’をハウジング１４に取付けするための略直方体形状の取付部３０’’’がハウジング１４に一体的に突出形成されており、取付部３０’’’の内部には、スナップフィット端子２８’’’を取付部３０’’’内に圧入保持するための圧入孔３２’’’が、スナップフィット端子２８’’’の外形形状に合わせた形状に上下方向に貫通形成されている。基板コネクタ１’’’は、スナップフィット端子２８’’’をこの取付部３０’’’内の圧入孔３２’’’に挿入してなる。
【００７４】
基板コネクタ１’’’のハウジング１４をプリント基板２に固定するためのスナップフィット端子２８’’’は、金属などの導電性板材をプレス加工により打ち抜き、曲げ加工して形成される。
【００７５】
図１４（ａ）に示すように、スナップフィット端子２８’’’は、略方形状の薄板からなる本体部３４を備え、本体部３４の下端には、棒状の脚部３６が対となって延設形成されている。一対の脚部３６，３６の先端には、互いに外向きとなる方向に張出状の係止部３８がそれぞれ形成されており、プリント基板２の貫通孔２４に挿入してプリント基板２の裏面に係止するようになっている。
【００７６】
本体部３４の両側端となる本体側部３４ｂには、下方に向けて補助支持部となる補助支持板４０’’が延設形成されており、図中の点線ｃで示す部分をそれぞれ同じ方向に折曲げることにより、補助支持板４０’’は、脚部３６の係止部３８の張出方向とは異なる方向で両脚部３６，３６の並ぶ方向と交差する方向に本体部３４より突出する。図１３に示すように、両脚部３６，３６はコネクタ嵌合方向（矢印ｘで示す方向）に沿って並べられているので、図１４（ｂ）に示すように本体側部３４ｂを本体部３４より略直角に折曲げると、補助支持板４０’’は、コネクタ嵌合方向と直交する方向（矢印ｙで示す方向）に本体部３４より突出する。
【００７７】
補助支持板４０’’の先端部分は、図中の点線ｄで示す部分をそれぞれ、補助支持板４０’’の突出する方向と直交する方向、すなわちコネクタ嵌合方向（矢印ｘで示す方向）、かつ、両補助支持板４０’’の先端部分が互いに拡開する方向に斜めに折曲げられており、プリント基板２に基板コネクタ１’’’が固定された状態で、補助支持板４０’’の先端がプリント基板２に当接すると、斜めに折曲げられた先端部分は、コネクタ嵌合方向（矢印ｘで示す方向）の荷重に対して引っ掛かり（突っ張り）となる。
【００７８】
本体側部３４ｂの側端面には、下から上に向けて滑らかに膨出し上端が角張った構造を有する圧入片４２が張出形成され、スナップフィット端子２８’’’を取付部３０’’’内の圧入孔３２’’’に圧入するようになっている。
【００７９】
スナップフィット端子２８’’’を圧入する取付部３０’’’の圧入孔３２’’’は、コネクタ嵌合方向（矢印ｘで示す方向）に沿って配置される本体部３４を収容する本体部収容孔３２’’’ａと、本体部３４の両端からコネクタ嵌合方向と直交する方向（矢印ｙで示す方向）に突出する補助支持板４０’’を収容する補助支持板収容孔３２’’’ｂとが略コ字状に取付部３０’’’の上面から下面まで貫通するように形成されてなる。
【００８０】
本体部収容孔３２’’’ａは、本体部３４の幅３４Ｗよりもやや外側に突出した両補助支持板４０’’の先端部分間の距離と略同じ長さか若干長く形成されており、スナップフィット端子２８’’’を圧入孔３２’’’に圧入したときに両補助支持板４０’’の先端部分が本体部収容孔３２’’’ａを通過してプリント基板に当接できるようになっている。補助支持板収容孔３２’’’ｂは、本体側部３４ｂの幅３４ｂＷと略同じか若干短く形成されており、本体側部３４ｂの側端面より膨出されている圧入片４２が補助支持板収容孔３２’’’ｂの開口縁に当接するようになっている。
【００８１】
したがって、圧入片４２が補助支持板収容孔３２’’’ｂの開口縁に当接するのに抗してスナップフィット端子２８’’’を圧入すると、圧入片４２が補助支持板収容孔３２’’’ｂの内壁面に食い込んで、スナップフィット端子２８’’が取付部３０’’’に保持される。
【００８２】
以上の構成の基板コネクタ１’’’は、図１５（ａ）に示すように、スナップフィット端子２８’’’の脚部３６をプリント基板２の貫通孔２４に正規位置まで挿入して半田付けすれば、プリント基板２に固定される。
【００８３】
図１５（ｂ）に示すように、スナップフィット端子２８’’’は、脚部３６の係止部３８の張出方向とは異なる方向であり、対からなる脚部３６，３６の並ぶ方向と交差する方向であって、コネクタ嵌合方向と直交する方向に突出してプリント基板２に当接する補助支持板４０’’を備えているので、基板コネクタ１’’’は、プリント基板２に対して、対をなす脚部３６と補助支持板４０’’とで支持される。そうすると、基板コネクタ１’’’にコネクタ嵌合方向と直交する方向に荷重がかかったときに、基板コネクタ１’’’がコネクタ嵌合方向と直交する方向に傾いたりずれたりするのを阻止して、強固に固定された状態を維持する。
【００８４】
さらに、図１５（ａ）に示すように、プリント基板２に当接する補助支持板４０’’の先端部分がコネクタ嵌合方向に折曲げされているので、この先端部分は、嵌合方向の荷重に対して引っ掛かり（突っ張り）となる。例えば、コネクタ嵌合時には、基板コネクタ１’’’に押しの力が掛かり、コネクタ嵌合して電線を接続した状態では、電線を介して基板コネクタ１’’’に引きの力が掛かる。そうすると、基板コネクタ１’’’にコネクタ嵌合方向に荷重がかかったときには、対をなす脚部３６，３６の係止部３８，３８だけでなく補助支持板４０’’の先端部分も突っ張りとなって基板コネクタ１’’’がコネクタ嵌合方向に傾いたりずれたりするのを阻止して、一層強固に固定された状態を維持する。
【００８５】
そして、基板コネクタ１’’’がコネクタ嵌合方向やコネクタ嵌合方向と直交する方向の荷重に対してより強固にプリント基板２に固定されているので、端子とプリント基板２上の配線パターンとの間の半田部分４４に荷重がかかりにくくなり、半田４４にひびなどが入りにくく、接続安定性に優れる。
【００８６】
以上、本発明の実施の形態について詳細に説明したが、本発明は上記実施の形態に何ら限定されるものではなく、本発明の要旨を逸脱しない範囲で種々の改変が可能である。
【００８７】
例えば、上記実施形態において、補助支持部の基板に当接する先端部分をコネクタ嵌合方向に折曲げされた基板コネクタにおいて、この折曲げされた先端部分を、固定部材のコネクタ嵌合方向への変位を規制する突張部として示しているが、補助支持部と一体的な突張部に限定されず、補助支持部とは別体の突張部が固定部材に設けられているものであっても良い。
【図面の簡単な説明】
【００８８】
【図１】本発明の第一実施形態に係る基板コネクタの外観を示す斜視図である。
【図２】図２（ａ）は図１の基板コネクタをプリント基板に仮固定した状態を示す上面図、図２（ｂ）は側面図、図２（ｃ）は正面図である。
【図３】図１に示す基板コネクタのスナップフィット端子を示す（ａ）展開図と（ｂ）側面図である。
【図４】スナップフィット端子の脚部が貫通孔に係止される過程を拡大して示した図である。
【図５】図１に示す基板コネクタをプリント基板へ半田付け状態の取付部とスナップフィット端子を示す図である。
【図６】プリント基板に対して、スナップフィット端子が支持される部位を示す上面図である。
【図７】図７（ａ）は本発明の第二実施形態に係る基板コネクタをプリント基板に仮固定した状態を示す上面図、図７（ｂ）は側面図、図７（ｃ）は正面図である。
【図８】図７に示す基板コネクタのスナップフィット端子を示す（ａ）展開図と（ｂ）斜視図である。
【図９】図７に示す基板コネクタをプリント基板へ半田付け状態の取付部とスナップフィット端子を示す図である。
【図１０】図１０（ａ）は本発明の第三実施形態に係る基板コネクタをプリント基板に仮固定した状態を示す上面図、図１０（ｂ）は側面図、図１０（ｃ）は正面図である。
【図１１】図１０に示す基板コネクタのスナップフィット端子を示す（ａ）展開図と（ｂ）斜視図である。
【図１２】図１０に示す基板コネクタをプリント基板へ半田付け状態の取付部とスナップフィット端子を示す図である。
【図１３】図１３（ａ）は本発明の第四実施形態に係る基板コネクタをプリント基板に仮固定した状態を示す上面図、図１３（ｂ）は側面図、図１３（ｃ）は正面図である。
【図１４】図１３に示す基板コネクタのスナップフィット端子を示す（ａ）展開図と（ｂ）斜視図である。
【図１５】図１３に示す基板コネクタをプリント基板へ半田付け状態の取付部とスナップフィット端子を示す図である。
【図１６】従来の基板コネクタを表す分解斜視図である。
【図１７】基板コネクタの固定部材を仮固定した状態を示す図である。
【符号の説明】
【００８９】
１ 基板コネクタ
２ プリント基板
１２ プリント配線
１２ｓ 信号配線パターン
１２ｇ グランド配線パターン
１４ ハウジング
１６ ハウジング用切り欠き
１８ 内導体端子
２０ 外導体端子
２２ｓ 接続タブ
２２ｇ 接続タブ
２４ 貫通孔
２４ａ 開口縁（挿入方向奥側）
２６ 誘電体
２８ 固定部材（スナップフィット端子）
３０ 取付部
３４ 本体部
３６ 脚部
３８ 係止部
４０ 補助支持片
【図１】
2008147163.tif 000003
【図２】
2008147163.tif 000004
【図３】
2008147163.tif 000005
【図４】
2008147163.tif 000006
【図５】
2008147163.tif 000007
【図６】
2008147163.tif 000008
【図７】
2008147163.tif 000009
【図８】
2008147163.tif 000010
【図９】
2008147163.tif 000011
【図１０】
2008147163.tif 000012
【図１１】
2008147163.tif 000013
【図１２】
2008147163.tif 000014
【図１３】
2008147163.tif 000015
【図１４】
2008147163.tif 000016
【図１５】
2008147163.tif 000017
【図１６】
2008147163.tif 000018
【図１７】
2008147163.tif 000019